(57)【特許請求の範囲】
【請求項１】
透液性表面シートと、不透液性裏面シートと、それらシートの間に介在する吸液性コアとから構成され、前記コアが、その両端縁間に縦方向へ延びる横方向中央域と、前記中央域の両側に位置して前記両端縁間に縦方向へ延びる横方向両側域とを有する縦長の生理用ナプキンにおいて、
前記コアの中央域の剛性が、該コアの両側域のそれよりも低く、前記コアの中央域の幅が、１０〜３０ｍｍの範囲にあり、前記コアの両端縁間を縦断する逆Ｕ字状または逆Ｖ字状いずれかの溝部が、該コアの中央域の下面に形成され、前記コアの中央域を除く両側域の下面が、縦方向へ間欠的に並ぶ複数条の接着剤塗布部を介して前記裏面シートの内面に接合され、前記コアの中央域をまたいで横方向へ延びる弾性部材が、該コアの下面の側に位置して前記両側域に伸長状態で接合されていることを特徴とする前記ナプキン。
【請求項２】
前記ナプキンを着用ショーツに固定するための粘着性止着域が、前記コアの両側域に重なる前記裏面シートの外面に形成されている請求項１記載のナプキン。
【発明の詳細な説明】
【０００１】
【発明の属する技術分野】
本発明は、生理用ナプキンに関する。
【０００２】
【従来の技術】
従来、着用した生理用ナプキンの肌への密着性を向上させるために、吸液性コアの横方向中央域を中高に形成したものが種々提案されている。
【０００３】
【発明が解決しようとする課題】
ナプキンに中高のコアを採用することは、中高のコアを成形することや、そのコアに透液性表面シートを密着させること等において、少なからぬ手間を要する。また、かかるナプキンは、中高な部分が嵩張るから、複数個を重ねたときにコンパクトな包装品にならないとか、中高な部分が簡単には折れ曲がらないから、小さく折り畳むことが難しいという問題がある。
【０００４】
本発明は、中高のコアを有するナプキンと同様に作用することが可能で、しかもそのようなナプキンに固有の諸問題を解消することができるナプキンの提案を課題にしている。
【０００５】
【課題を解決するための手段】
前記課題を解決するための本発明の前提は、透液性表面シートと、不透液性裏面シートと、それらシートの間に介在する吸液性コアとから構成され、前記コアが、その両端縁間に縦方向へ延びる横方向中央域と、前記中央域の両側に位置して前記両端縁間に縦方向へ延びる横方向両側域とを有する縦長の生理用ナプキンである。
【０００６】
前記前提における本発明の特徴は、前記コアの中央域の剛性が、該コアの両側域のそれよりも低く、前記コアの中央域の幅が、１０〜３０ｍｍの範囲にあり、前記コアの両端縁間を縦断する逆Ｕ字状または逆Ｖ字状いずれかの溝部が、該コアの中央域の下面に形成され、前記コアの中央域を除く両側域の下面が、縦方向へ間欠的に並ぶ複数条の接着剤塗布部を介して前記裏面シートの内面に接合され、前記コアの中央域をまたいで横方向へ延びる弾性部材が、該コアの下面の側に位置して前記両側域に伸長状態で接合されていることにある。
【０００７】
本発明の実施態様の一例は、前記ナプキンを着用ショーツに固定するための粘着性止着域が、前記コアの両側域に重なる前記裏面シートの外面に形成されている。
【０００８】
【０００９】
【００１０】
【００１１】
【発明の実施の形態】
添付の図面を参照し、本発明に係る生理用ナプキンの詳細を説明すると、以下のとおりである。
【００１２】
図１は、生理用ナプキン１の部分破断平面図であり、コア４の中央域Ａと両側域Ｂとの境界を点線で示している。図１では、縦方向を矢印Ｌで示し、横方向を矢印Ｍで示す。ナプキン１は、縦方向へ長いもので、透液性表面シート２と、不透液性裏面シート３と、それらシート２，３の間に介在する吸液性コア４とから構成されている。表面シート２は、熱可塑性合成繊維製不織布から作られている。裏面シート３は、熱可塑性合成樹脂製フィルムから作られている。コア４は、粉砕パルプを４０重量％以上含有している。ナプキン１の縦方向中央部には、横方向へ延びる一対の翼部６が形成されている。それら翼部６は、ナプキン１の中央部から横方向外方へ延びる表裏面シート２，３の部分から形成されている。表裏面シート２，３は、コア４の周縁から延出した部分で重なり合い、図１に多数の小点で示された部分がホットメルト接着剤または溶着によって互いに接合されている。コア４は、その両端縁間に縦方向へ延びる横方向中央域Ａと、中央域Ａの両側に位置して両端縁間に縦方向へ延びる横方向両側域Ｂとを有する。
【００１３】
図２は、図１のＩＩ−ＩＩ線断面図である。コア４の中央域Ａは、その厚さが両側域Ｂと同じであるかまたは両側域Ｂのそれよりも僅かに厚く、かつ、その密度が両側域Ｂのそれよりも低く、コア４を横方向へ曲げるときの剛性が両側域Ｂのそれよりも小さくなるように作られている。中央域Ａの横方向の寸法（幅）は、１０〜３０ｍｍの範囲にある。両側域Ｂの横方向の寸法（幅）は、中央域Ａと同様に１０〜３０ｍｍの範囲にある。かようなコア４は、例えば、中央域Ａと両側域Ｂとの組成を同じにして、両側域Ｂが中央域Ａよりも高密度になるように圧縮することで得られる。コア４の両側域Ｂと重なる裏面シート３の外面には、ナプキン１を着用ショーツへ固定するための粘着性止着域１１が形成されている。翼部６を形成する裏面シート３の部分の外面には、ナプキン１を着用ショーツへ固定するための粘着性止着域１２が形成されている。それら止着域１１，１２は、剥離紙１３，１４によって保護されている。コア４の中央域Ａと重なる裏面シートの外面には、粘着性止着域が形成されていない。
【００１４】
図３，４は、本発明の実施態様の一例を示す図１，２と同様の図面である。このナプキン１では、コアの中央域Ａを除く両側域Ｂの下面１６Ｂが縦方向へ間欠的に並ぶ複数条のホットメルト接着剤塗布部１７を介して裏面シート３の内面に接合されている。接着剤塗布部１７は、横方向へ延びている。コア４の中央域Ａの下面１６Ａには、縦方向へ延びる逆Ｕ字状または逆Ｖ字状いずれかの溝部１８が形成されている。溝部１８は、コア４の横方向へ延びる両端縁２１，２２間を縦断し、端縁２１，２２に達している。
【００１５】
それら図示例のように形成された生理用ナプキン１は、着用ショーツに取り付けられて横方向からの圧縮力を受けると、剛性が相対的に低いコア４の中央域Ａを頂部にして逆Ｖ字状または逆Ｕ字状に変形し、その変形によってナプキン１が身体に密着する方向へ動く（図２の仮想線参照）。特に、粘着剤塗布部１７が横方向へ延びるとともに縦方向へ間欠的に並んでいたり、逆Ｕ字状または逆Ｖ字状いずれかの溝部１８がコア４の中央域Ａに形成されていると、ナプキン１はコア４の中央域Ａが頂部となるように容易に変形する。粘着剤塗布部１７は、横方向の寸法が０．５〜１０ｍｍの範囲にあることが好ましく、縦方向に隣り合う粘着剤塗布部１７どうしの間隔が５〜８０ｍｍの範囲にあることが好ましい。ただし、粘着剤塗布部１７は、ナプキン１の縦方向へ延びるとともに、横方向へ間欠的に並んでいてもよく、スパイラルを画いて縦方向または横方向へ延びていてもよい。溝部１８は、その深さがコア４の厚みの１／４〜４／５の範囲にあり、横方向の寸法が５〜２０ｍｍの範囲にあることが好ましい。
【００１６】
図５もまた、本発明の実施態様の一例を示す図４と同様の図面である。このナプキン１では、コア４の中央域Ａをまたいで横方向へ延びる弾性部材２３がコア４の下面の側に位置して両側域Ｂに伸長状態で取り付けられている。弾性部材２３は、コア４の下面１６と裏面シート３の内面とにホットメルト接着剤２４を介して接合されている。このナプキン１では、弾性部材２１の収縮によってコア４がその中央域Ａを頂部にして逆Ｖ字状または逆Ｕ字状に変形し、ナプキン１が逆Ｖ字状に容易に変形する。
【００１７】
コア４は、６０重量％を限度として高吸水性ポリマー粉末を含むことができ、また、２０重量％を限度として熱可塑性合成繊維を含むことができる。
【００１８】
【発明の効果】
この発明に係る生理用ナプキンは、コアの横方向中央域の剛性が相対的に低く、ナプキンが横方向から圧縮されると、コアがその中央域を頂部にして逆Ｖ字状または逆Ｕ字状に変形し、それによってナプキンが逆Ｖ字状に変形して身体に密着する方向へ動く。このナプキンは、コアが中高なものではなく、比較的平坦なものであっても、着用者の身体によく密着する。
【００１９】
かかるナプキンは、比較的製造容易であり、コンパクトに折り畳むことも容易である。
【図面の簡単な説明】
【図１】  ナプキンの部分破断平面図。
【図２】  図１のＩＩ−ＩＩ線断面図。
【図３】  実施態様の一例を示す図１と同様の図面。
【図４】  図３のＩＶ−ＩＶ線断面図。
【図５】  実施態様の一例を示す図４と同様の図面。
【符号の説明】
１      ナプキン
２      透液性表面シート
３      不透液性裏面シート
４      吸液性コア
１１      粘着性止着域
１６Ａ    下面
１６Ｂ    下面
１７      接着剤塗布部
１８      溝部
２１      端縁
２２      端縁
２３      弾性部材
Ａ    中央域
Ｂ    両側域
【図１】
0003639451.tif 000002
【図２】
0003639451.tif 000003
【図３】
0003639451.tif 000004
【図４】
0003639451.tif 000005
【図５】
0003639451.tif 000006